【手続補正書】
【提出日】平成19年8月1日(2007.8.1)
【手続補正１】
【補正対象書類名】特許請求の範囲
【補正対象項目名】全文
【補正方法】変更
【補正の内容】
【特許請求の範囲】
【請求項１】
情報処理装置と、前記情報処理装置の通信を制御する通信制御装置と、サーバとを備えた通信システムであって、
前記情報処理装置は、
前記通信制御装置を介して、前記通信制御装置に送信履歴を残すための１以上のバブルパケットを送信するバブルパケット送信部と、
１以上の前記バブルパケットの送信で用いられる、前記通信制御装置のポートである１以上のバブルパケット送信ポートを含むポートの範囲を検出するために用いられる範囲検出用パケットを前記サーバに送信する範囲検出用パケット送信部と、を備え、
前記サーバは、
前記範囲検出用パケットを受け付け、当該範囲検出用パケットに基づいて１以上の前記バブルパケット送信ポートを含むポートの範囲を検出する範囲検出部を備えた、通信システム。
【請求項２】
前記サーバは、
前記範囲検出部が検出した１以上の前記バブルパケット送信ポートを含むポートの範囲を示す情報である範囲情報を送信する範囲送信部をさらに備えた、請求項１記載の通信システム。
【請求項３】
情報処理装置と、前記情報処理装置の通信を制御する通信制御装置と、サーバとを備えた通信システムであって、
前記情報処理装置は、
前記通信制御装置を介して、前記通信制御装置に送信履歴を残すための１以上のバブルパケットを送信するバブルパケット送信部と、
１以上の前記バブルパケットの送信で用いられる、前記通信制御装置のポートである１以上のバブルパケット送信ポートを含むポートの範囲を検出するために用いられる範囲検出用パケットを前記サーバに送信する範囲検出用パケット送信部と、
前記範囲検出用パケットが通過した前記通信制御装置のポートの位置を示す検出用ポート情報を受け付ける検出用ポート情報受付部と、
前記検出用ポート情報受付部が受け付けた検出用ポート情報に基づいて、１以上の前記バブルパケット送信ポートを含むポートの範囲を検出する範囲検出部と、を備え、
前記サーバは、
前記範囲検出用パケットを受け付け、当該範囲検出用パケットが通過した前記通信制御装置のポートの位置を検出する検出用ポート検出部と、
前記検出用ポート検出部が検出したポートの位置を示す検出用ポート情報を前記情報処理装置に送信する検出用ポート情報送信部と、を備えた、通信システム。
【請求項４】
前記情報処理装置は、
前記範囲検出部が検出した１以上の前記バブルパケット送信ポートを含むポートの範囲を示す情報である範囲情報を送信する範囲送信部をさらに備えた、請求項３記載の通信システム。
【請求項５】
前記範囲検出用パケット送信部は、前記バブルパケット送信部が１以上の前記バブルパケットを送信する前後において、それぞれ前記範囲検出用パケットを送信する、請求項１から４のいずれか記載の通信システム。
【請求項６】
前記範囲検出用パケット送信部は、１以上の前記バブルパケットの送信の前後で、それぞれ異なるアドレスに前記範囲検出用パケットを送信する、請求項５記載の通信システム。
【請求項７】
前記範囲検出用パケット送信部は、１以上の前記バブルパケットの送信の前後で、それぞれ前記情報処理装置において新たに割り当てられたポートを用いて前記範囲検出用パケットを送信する、請求項５記載の通信システム。
【請求項８】
前記サーバは、
１以上の前記バブルパケットを送信する対象のポートであるバブルパケット送信対象ポートの位置を示すバブルパケット送信対象ポート情報を前記情報処理装置に送信するバブルパケット送信対象ポート送信部をさらに備え、
前記情報処理装置は、
前記バブルパケット送信対象ポート情報を受け付けるバブルパケット送信対象ポート受付部をさらに備え、
前記バブルパケット送信部は、前記バブルパケット送信対象ポート情報の示すバブルパケット送信対象ポートに１以上の前記バブルパケットを送信する、請求項１から７のいずれか記載の通信システム。
【請求項９】
情報処理装置と、前記情報処理装置の通信を制御する通信制御装置と、サーバとを備えた通信システムを構成するサーバであって、
前記通信制御装置に送信履歴を残すためのパケットであり、前記情報処理装置から前記通信制御装置を介して送信されるパケットである１以上のバブルパケットの送信で用いられる、前記通信制御装置のポートである１以上のバブルパケット送信ポートを含むポートの範囲を検出するために用いられるパケットであり、前記情報処理装置から送信されたパケットである範囲検出用パケットを受け付け、当該範囲検出用パケットに基づいて１以上の前記バブルパケット送信ポートを含むポートの範囲を検出する範囲検出部を備えたサーバ。
【請求項１０】
情報処理装置と、前記情報処理装置の通信を制御する通信制御装置と、サーバとを備えた通信システムを構成する情報処理装置であって、
前記通信制御装置を介して、前記通信制御装置に送信履歴を残すための１以上のバブルパケットを送信するバブルパケット送信部と、
１以上の前記バブルパケットの送信で用いられる、前記通信制御装置のポートである１以上のバブルパケット送信ポートを含むポートの範囲を検出するために用いられる範囲検出用パケットを前記サーバに送信する範囲検出用パケット送信部と、を備えた情報処理装置
。
【請求項１１】
情報処理装置と、前記情報処理装置の通信を制御する通信制御装置と、サーバとを備えた通信システムを構成する情報処理装置であって、
前記通信制御装置を介して、前記通信制御装置に送信履歴を残すための１以上のバブルパケットを送信するバブルパケット送信部と、
１以上の前記バブルパケットの送信で用いられる、前記通信制御装置のポートである１以上のバブルパケット送信ポートを含むポートの範囲を検出するために用いられる範囲検出用パケットを前記サーバに送信する範囲検出用パケット送信部と、
前記範囲検出用パケットが通過した前記通信制御装置のポートの位置を示す検出用ポート情報を前記サーバから受け付ける検出用ポート情報受付部と、
前記検出用ポート情報受付部が受け付けた検出用ポート情報に基づいて、１以上の前記バブルパケット送信ポートを含むポートの範囲を検出する範囲検出部と、を備えた情報処理装置。
【請求項１２】
情報処理装置と、前記情報処理装置の通信を制御する通信制御装置と、サーバとを備えた通信システムを構成するサーバにおいて用いられる通信方法であって、
前記通信制御装置に送信履歴を残すためのパケットであり、前記情報処理装置から前記通信制御装置を介して送信されるパケットである１以上のバブルパケットの送信で用いられる、前記通信制御装置のポートである１以上のバブルパケット送信ポートを含むポートの範囲を検出するために用いられるパケットであり、前記情報処理装置から送信されたパケットである範囲検出用パケットを受け付け、当該範囲検出用パケットに基づいて１以上の前記バブルパケット送信ポートを含むポートの範囲を検出する範囲検出ステップを備えた通信方法。
【請求項１３】
情報処理装置と、前記情報処理装置の通信を制御する通信制御装置と、サーバとを備えた通信システムを構成する情報処理装置において用いられる通信方法であって、
前記通信制御装置を介して、前記通信制御装置に送信履歴を残すための１以上のバブルパケットを送信するバブルパケット送信ステップと、
１以上の前記バブルパケットの送信で用いられる、前記通信制御装置のポートである１以上のバブルパケット送信ポートを含むポートの範囲を検出するために用いられる範囲検出用パケットを前記サーバに送信する範囲検出用パケット送信ステップと、を備えた通信方法。
【請求項１４】
情報処理装置と、前記情報処理装置の通信を制御する通信制御装置と、サーバとを備えた通信システムを構成する情報処理装置において用いられる通信方法であって、
前記通信制御装置を介して、前記通信制御装置に送信履歴を残すための１以上のバブルパケットを送信するバブルパケット送信ステップと、
１以上の前記バブルパケットの送信で用いられる、前記通信制御装置のポートである１以上のバブルパケット送信ポートを含むポートの範囲を検出するために用いられる範囲検出用パケットを前記サーバに送信する範囲検出用パケット送信ステップと、
前記範囲検出用パケットが通過した前記通信制御装置のポートの位置を示す検出用ポート情報を前記サーバから受け付ける検出用ポート情報受付ステップと、
前記検出用ポート情報受付ステップで受け付けた検出用ポート情報に基づいて、１以上の前記バブルパケット送信ポートを含むポートの範囲を検出する範囲検出ステップと、を備えた通信方法。
【請求項１５】
コンピュータに、
情報処理装置と、前記情報処理装置の通信を制御する通信制御装置と、サーバとを備えた通信システムを構成するサーバにおける処理を実行させるためのプログラムであって、
前記通信制御装置に送信履歴を残すためのパケットであり、前記情報処理装置から前記通信制御装置を介して送信されるパケットである１以上のバブルパケットの送信で用いられる、前記通信制御装置のポートである１以上のバブルパケット送信ポートを含むポートの範囲を検出するために用いられるパケットであり、前記情報処理装置から送信されたパケットである範囲検出用パケットを受け付け、当該範囲検出用パケットに基づいて１以上の前記バブルパケット送信ポートを含むポートの範囲を検出する範囲検出ステップを実行させるためのプログラム。
【請求項１６】
コンピュータに、
情報処理装置と、前記情報処理装置の通信を制御する通信制御装置と、サーバとを備えた通信システムを構成する情報処理装置における処理を実行させるためのプログラムであって、
前記通信制御装置を介して、前記通信制御装置に送信履歴を残すための１以上のバブルパケットを送信するバブルパケット送信ステップと、
１以上の前記バブルパケットの送信で用いられる、前記通信制御装置のポートである１以上のバブルパケット送信ポートを含むポートの範囲を検出するために用いられる範囲検出用パケットを前記サーバに送信する範囲検出用パケット送信ステップと、を実行させるためのプログラム。
【請求項１７】
コンピュータに、
情報処理装置と、前記情報処理装置の通信を制御する通信制御装置と、サーバとを備えた通信システムを構成する情報処理装置における処理を実行させるためのプログラムであって、
前記通信制御装置を介して、前記通信制御装置に送信履歴を残すための１以上のバブルパケットを送信するバブルパケット送信ステップと、
１以上の前記バブルパケットの送信で用いられる、前記通信制御装置のポートである１以上のバブルパケット送信ポートを含むポートの範囲を検出するために用いられる範囲検出用パケットを前記サーバに送信する範囲検出用パケット送信ステップと、
前記範囲検出用パケットが通過した前記通信制御装置のポートの位置を示す検出用ポート情報を前記サーバから受け付ける検出用ポート情報受付ステップと、
前記検出用ポート情報受付ステップで受け付けた検出用ポート情報に基づいて、１以上の前記バブルパケット送信ポートを含むポートの範囲を検出する範囲検出ステップと、を実行させるためのプログラム。